(57)【要約】【課題】コンデンサに接続される配線の高インダクタンス化を抑制することが可能な電力変換装置を提供する。【解決手段】この電力変換装置１００は、負極配線部５と、正極配線部６と、正極配線部６上に配置される正極側端子１０と、負極配線部５上に配置される第１負極側端子１１ａと第２負極側端子１１ｂと第３負極側端子１１ｃとが設けられる複数のコンデンサ１と、を備え、複数のコンデンサ１は、互いに隣接する第１コンデンサ１ａと第２コンデンサ１ｂとを含み、第１コンデンサ１ａの第１負極側端子１１ａと、第２コンデンサ１ｂの第２負極側端子１１ｂおよび第３負極側端子１１ｃとは、共通の負極配線上に設けられ、第１コンデンサ１ａの第２負極側端子１１ｂおよび第３負極側端子１１ｃと、第２コンデンサ１ｂの第１負極側端子１１ａとは、上記負極配線とは別個の共通の負極配線上に設けられる。【選択図】図４
2018023200.tif 000002
【特許請求の範囲】
【請求項１】
第１負極配線と第２負極配線とを有する負極配線部と、
前記第１負極配線と前記第２負極配線との間に設けられる正極配線部と、
前記正極配線部上に配置される正極側端子と、前記正極側端子を取り囲むとともに前記負極配線部上に配置される、第１負極側端子と第２負極側端子と第３負極側端子とが、底面部に設けられる複数のコンデンサと、を備え、
前記複数のコンデンサは、互いに隣接する第１コンデンサと第２コンデンサとを含み、
前記第１コンデンサの前記第１負極側端子は、前記第１負極配線上に設けられるとともに、前記第１コンデンサの前記第２負極側端子および前記第３負極側端子は、前記第２負極配線上に設けられ、前記第２コンデンサの前記第１負極側端子は、前記第２負極配線上に設けられるとともに、前記第２コンデンサの前記第２負極側端子および前記第３負極側端子は、前記第１負極配線上に設けられる、電力変換装置。
【請求項２】
前記第１コンデンサの数と、前記第２コンデンサの数とは等しくなるように構成されている、請求項１に記載の電力変換装置。
【請求項３】
前記第１負極配線上に設けられている、前記第１負極側端子と前記第２負極側端子と前記第３負極側端子、および、前記第２負極配線上に設けられている、前記第１負極側端子と前記第２負極側端子と前記第３負極側端子とは、略一直線状になるように配列されている、請求項１または２に記載の電力変換装置。
【請求項４】
前記第１コンデンサと前記第２コンデンサとが所定の方向に沿って互いに隣接して配列されるコンデンサグループは、前記所定の方向と略直交する方向に沿って複数配列されている、請求項１〜３のいずれか１項に記載の電力変換装置。
【請求項５】
前記コンデンサグループは、互いに隣接する第１コンデンサグループと第２コンデンサグループとを含み、
前記所定の方向において、前記第１コンデンサグループの前記コンデンサの両端部と、前記第２コンデンサグループの前記コンデンサの両端部とがずれるように、前記第１コンデンサグループと前記第２コンデンサグループとは千鳥配列されている、請求項４に記載の電力変換装置。
【発明の詳細な説明】
【技術分野】
【０００１】
この発明は、電力変換装置に関し、特に、複数のコンデンサを備える電力変換装置に関する。
【背景技術】
【０００２】
従来、複数のコンデンサを備える電力変換装置が知られている（たとえば、特許文献１参照）。
【０００３】
上記特許文献１に記載の電力変換装置は、基板（プリント配線板）に設けられる複数のコンデンサを備えている。各コンデンサには、１つの正極側の端子と、１つの負極側の端子とが設けられている。基板には、コンデンサの正極側の端子に接続される正極配線（正極パターン）と、コンデンサの負極側の端子に接続される負極配線（負極パターン）とが設けられており、正極配線と負極配線とは並列に配置されている。
【先行技術文献】
【特許文献】
【０００４】
【特許文献１】特開２０１３−２５５３７０号公報
【発明の概要】
【発明が解決しようとする課題】
【０００５】
ここで、一般的に、１つの正極側の端子と、正極側の端子を取り囲むように３つの負極側の端子が設けられている、ソルダリングスター型のコンデンサが知られている。なお、一般的には、ソルダリングスター型のコンデンサの３つの負極側の端子は、１２０度の略等角度間隔に配置されるので、正極側の端子に対して一方側に１つの負極側の端子が設けられるとともに、正極側の端子に対して他方側に２つの負極側の端子が設けられる。したがって、上記特許文献１に記載の電力変換装置に、ソルダリングスター型のコンデンサを適用した場合、基板（プリント配線板）には、正極側の端子に接続される正極配線（正極パターン）と、負極側の端子に接続されるとともに正極配線を挟むように設けられる２つの負極配線（負極パターン）とが設けられる。この場合、正極配線に対して一方側の負極配線に設けられる負極側の端子数と、正極配線に対して他方側の負極配線に設けられる負極側の端子数とに差が生じる。このため、２つの負極配線に流れる電流量に差が生じるので、正極配線と負極配線との間において磁界がキャンセルされ難くなり、正極配線および負極配線が高インダクタンス化するという問題点がある。
【０００６】
この発明は、上記のような課題を解決するためになされたものであり、この発明の１つの目的は、３つの負極側の端子を有するコンデンサに接続される配線の高インダクタンス化を抑制することが可能な電力変換装置を提供することである。
【課題を解決するための手段】
【０００７】
この発明の一の局面による電力変換装置は、第１負極配線と第２負極配線とを有する負極配線部と、第１負極配線と第２負極配線との間に設けられる正極配線部と、正極配線部上に配置される正極側端子と、正極側端子を取り囲むとともに負極配線部上に配置される、第１負極側端子と第２負極側端子と第３負極側端子とが、底面部に設けられる複数のコンデンサと、を備え、複数のコンデンサは、互いに隣接する第１コンデンサと第２コンデンサとを含み、第１コンデンサの第１負極側端子は、第１負極配線上に設けられるとともに、第１コンデンサの第２負極側端子および第３負極側端子は、第２負極配線上に設けられ、第２コンデンサの第１負極側端子は、第２負極配線上に設けられるとともに、第２コンデンサの第２負極側端子および第３負極側端子は、第１負極配線上に設けられる。
【０００８】
この発明の一の局面による電力変換装置では、上記のように、第１コンデンサの第１負極側端子と、第２コンデンサの第２負極側端子および第３負極側端子とが、第１負極配線上に設けられるとともに、第１コンデンサの第２負極側端子および第３負極側端子と、第２コンデンサの第１負極側端子とが、第２負極配線上に設けられることによって、互いに隣接する第１コンデンサと第２コンデンサとにおいて、第１負極配線に接続される負極側の端子数と、第２負極配線に接続される負極側の端子数とが等しくなる。その結果、互いに隣接する第１コンデンサと第２コンデンサとにおいて、第１負極配線に流れる電流量と、第２負極配線に流れる電流量とが等しくなる。また、正極配線部に流れる電流量と、負極配線部に流れる電流量（第１負極配線と第２負極配線とに流れる合計の電流量）とは等しい。これらにより、第１負極配線と正極配線部（正極配線部を仮想的に半分に分解したもの）との間において磁界がキャンセルされるとともに、第２負極配線と正極配線部（正極配線部を仮想的に半分に分解したもの）との間において磁界がキャンセルされる。その結果、３つの負極側の端子を有する複数のコンデンサに接続される配線の高インダクタンス化を抑制することができる。
【０００９】
上記一の局面による電力変換装置において、好ましくは、第１コンデンサの数と、第２コンデンサの数とは等しくなるように構成されている。このように構成すれば、電力変換装置全体において、第１負極配線に接続される負極側の端子数と、第２負極配線に接続される負極側の端子数とを等しくすることができる。その結果、電力変換装置全体において、磁界をキャンセルすることができる。
【００１０】
上記一の局面による電力変換装置において、好ましくは、第１負極配線上に設けられている、第１負極側端子と第２負極側端子と第３負極側端子、および、第２負極配線上に設けられている、第１負極側端子と第２負極側端子と第３負極側端子とは、略一直線状になるように配列されている。このように構成すれば、第１負極配線の負極側の端子と第２負極配線の負極側の端子との間の距離を略一定にすることができる。つまり、正極側の端子に対して、比較的遠くに配置される負極側の端子がなくなる。その結果、負極側の端子に接続される配線の表面積を小さくすることができるので、その分、配線の総表面積を小さくすることができる。
【００１１】
上記一の局面による電力変換装置において、好ましくは、第１コンデンサと第２コンデンサとが所定の方向に沿って互いに隣接して配列されるコンデンサグループは、所定の方向と略直交する方向に沿って複数配列されている。このように構成すれば、コンデンサグループを複数配列させることによって、電力変換装置の容量を容易に増加させることができる。
【００１２】
この場合、好ましくは、コンデンサグループは、互いに隣接する第１コンデンサグループと第２コンデンサグループとを含み、所定の方向において、第１コンデンサグループのコンデンサの両端部と、第２コンデンサグループのコンデンサの両端部とがずれるように、第１コンデンサグループと第２コンデンサグループとは千鳥配列されている。このように構成すれば、第１コンデンサグループと第２コンデンサグループとがマトリクス状に配置されている場合に比べて、所定の方向と略直交する方向において、コンデンサを密に配置することができる。これにより、第１コンデンサグループと第２コンデンサグループとが配置される領域の、所定の方向と略直交する方向の幅を小さくすることができる。
【発明の効果】
【００１３】
本発明によれば、上記のように、コンデンサに接続される配線の高インダクタンス化を抑制することが可能な電力変換装置を提供することができる。
【図面の簡単な説明】
【００１４】
【図１】本発明の第１実施形態による電力変換装置の構成を示した図である。
【図２】本発明の第１〜第３実施形態による電力変換装置の回路構成を示した図である。
【図３】本発明の第１〜第３実施形態によるコンデンサの構成を示した斜視図である。
【図４】本発明の第１実施形態による電力変換装置のコンデンサの配置を示した平面図である。
【図５】本発明の第１〜第３実施形態による電力変換装置の半導体素子の構成を示した斜視図である。
【図６】本発明の第２実施形態による電力変換装置のコンデンサの配置を示した平面図である。
【図７】本発明の第３実施形態による電力変換装置のコンデンサの配置を示した平面図である。
【図８】本発明の第１実施形態の変形例による電力変換装置のコンデンサの配置を示した平面図である。
【発明を実施するための形態】
【００１５】
以下、本発明を具体化した実施形態を図面に基づいて説明する。
【００１６】
［第１実施形態］
まず、図１〜図５を参照して、第１実施形態による電力変換装置１００の構成について説明する。
【００１７】
（電力変換装置の構造）
図１に示すように、電力変換装置１００は、円柱形状を有する８つのコンデンサ１が備えられている。また、電力変換装置１００には、矩形形状の基板２と、６つの半導体素子３０からなる半導体素子部３とが設けられている。コンデンサ１および半導体素子部３は、基板２上に配置されている。なお、図１では、後述する負極配線部５および正極配線部６は、都合により図示を省略している。
【００１８】
また、半導体素子部３は、３つの半導体素子３０からなる上アームを構成する半導体素子部３ａと、３つの半導体素子３０からなる下アームを構成する半導体素子部３ｂとを含む。上アームを構成する半導体素子部３ａの各半導体素子３０は、基板２上のＸ２方向側の端部において、Ｙ方向に沿って配列されている。また、下アームを構成する半導体素子部３ｂの各半導体素子３０は、上アームを構成する半導体素子部３ａのＸ１方向側において、上アームを構成する半導体素子部３ａの各半導体素子３０と隣接するように配置されている。なお、Ｘ方向およびＹ方向は、それぞれ、特許請求の範囲の「所定の方向」および「所定の方向と略直交する方向」の一例である。
【００１９】
図２に示すように、電力変換装置１００には、基板２上に配置されていない直流電源４が設けられている。コンデンサ１および半導体素子部３には、直流電源４から電力が供給されている。また、コンデンサ１と半導体素子部３とは、電気的に並列接続されている。
【００２０】
具体的には、コンデンサ１の正極側端子１０と、上アームを構成する半導体素子部３ａの各半導体素子３０のドレイン電極Ｄとが接続されている。また、コンデンサ１の負極側端子１１と、下アームを構成する半導体素子部３ｂの各半導体素子３０のソース電極Ｓとが接続されている。また、６つの各半導体素子３０のゲート電極Ｇの各々には、ゲート駆動回路１０１が接続されている。
【００２１】
また、上アームを構成する半導体素子部３ａの各半導体素子３０のソース電極Ｓと下アームを構成する半導体素子部３ｂの各半導体素子３０のドレイン電極Ｄとは、電気的に接続されている。また、上アームを構成する半導体素子３ａの各半導体素子３０のソース電極Ｓ、および、下アームを構成する半導体素子３ｂの各半導体素子３０のドレイン電極Ｄの各々は、モータ１０２と電気的に接続されている。すなわち、モータ１０２には、３相の交流電流が出力されるように構成されている。
【００２２】
図３に示すように、コンデンサ１の正極側端子１０は、コンデンサ１の底面部１２（基板２側の面）の略中心に設けられている。また、コンデンサ１の負極側端子１１は、第１負極側端子１１ａと、第２負極側端子１１ｂと、第３負極側端子１１ｃとを含む。第１負極側端子１１ａ、第２負極側端子１１ｂ、および、第３負極側端子１１ｃは、底面部１２の外周近傍に、正極側端子１０を取り囲むように設けられている。また、第１負極側端子１１ａと第２負極側端子１１ｂと第３負極側端子１１ｃとは、互いに略等角度間隔に配置されている。すなわち、第１負極側端子１１ａと第２負極側端子１１ｂとの間の角度、第２負極側端子１１ｂと第３負極側端子１１ｃとの間の角度、および、第１負極側端子１１ａと第３負極側端子１１ｃとの間の角度は、それぞれ、約１２０度である。なお、以下では、底面部１２の半径をｒとして説明する。
【００２３】
また、正極側端子１０、第１負極側端子１１ａ、第２負極側端子１１ｂ、および、第３負極側端子１１ｃは、底面部１２から突出しているとともに基板２（図１参照）を貫通している。
【００２４】
図４に示すように、電力変換装置１００は、基板２上に設けられる、負極配線部５と正極配線部６とを備えている。負極配線部５は、Ｘ方向に延びる、負極配線５ａと負極配線５ｂと負極配線５ｃとを含む。また、正極配線部６は、Ｘ方向に延びる、正極配線６ａと正極配線６ｂとを含む。また、正極配線６ａは、負極配線５ａと負極配線５ｂとの間に設けられている。また、正極配線６ｂは、負極配線５ｂと負極配線５ｃとの間に設けられている。なお、負極配線５ａおよび負極配線５ｃは、それぞれ、特許請求の範囲の「第１負極配線」および「第２負極配線」の一例である。また、負極配線５ｂは、特許請求の範囲の「第１負極配線」および「第２負極配線」の一例である。
【００２５】
また、コンデンサ１の正極側端子１０は、正極配線部６上に設けられている。また、コンデンサ１の負極側端子１１は、負極配線部５上に設けられている。
【００２６】
また、８つのコンデンサ１は、互いに隣接する、後述する第１コンデンサ１ａと第２コンデンサ１ｂとを含む。具体的には、第１コンデンサ１ａと第２コンデンサ１ｂとは、Ｘ方向に沿って交互に配置されている。
【００２７】
ここで、第１実施形態では、電力変換装置１００は、第１コンデンサ１ａと第２コンデンサ１ｂとがＸ方向に沿って互いに隣接して配列されるコンデンサグループ１３を含む。また、コンデンサグループ１３は、Ｙ方向に沿って２つ配列されている。具体的には、コンデンサグループ１３は、Ｙ方向に沿って互いに隣接して設けられている、第１コンデンサグループ１３ａと第２コンデンサグループ１３ｂとを含む。すなわち、第１コンデンサグループ１３ａおよび第２コンデンサグループ１３ｂの各々は、Ｘ方向に沿って配列される４つのコンデンサ１により構成されている。
【００２８】
また、第１実施形態では、第１コンデンサ１ａの第１負極側端子１１ａは、負極配線５ａまたは負極配線５ｂ上に設けられている。また、第１コンデンサ１ａの第２負極側端子１１ｂおよび第３負極側端子１１ｃは、負極配線５ｂまたは負極配線５ｃ上に設けられている。また、第２コンデンサ１ｂの第１負極側端子１１ａは、負極配線５ｂまたは負極配線５ｃ上に設けられている。また、第２コンデンサ１ｂの第２負極側端子１１ｂおよび第３負極側端子１１ｃは、負極配線５ａまたは負極配線５ｂ上に設けられている。
【００２９】
具体的には、第１コンデンサグループ１３ａの第１コンデンサ１ａの第１負極側端子１１ａは、負極配線５ａに設けられている。また、第１コンデンサグループ１３ａの第１コンデンサ１ａの第２負極側端子１１ｂおよび第３負極側端子１１ｃは、負極配線５ｂに設けられている。また、第１コンデンサグループ１３ａの第２コンデンサ１ｂの第２負極側端子１１ｂおよび第３負極側端子１１ｃは、負極配線５ａに設けられている。また、第１コンデンサグループ１３ａの第２コンデンサ１ｂの第１負極側端子１１ａは、負極配線５ｂに設けられている。
【００３０】
また、第２コンデンサグループ１３ｂの第１コンデンサ１ａの第１負極側端子１１ａは、負極配線５ｂに設けられている。また、第２コンデンサグループ１３ｂの第１コンデンサ１ａの第２負極側端子１１ｂおよび第３負極側端子１１ｃは、負極配線５ｃに設けられている。また、第２コンデンサグループ１３ｂの第２コンデンサ１ｂの第２負極側端子１１ｂおよび第３負極側端子１１ｃは、負極配線５ｂに設けられている。また、第２コンデンサグループ１３ｂの第２コンデンサ１ｂの第１負極側端子１１ａは、負極配線５ｃに設けられている。
【００３１】
すなわち、負極配線５ａ、負極配線５ｂ、および、負極配線５ｃの各々には、６個、１２個、および、６個の負極側の端子が設けられている。また、正極配線６ａおよび正極配線６ｂの各々には、４個ずつ正極側端子１０が設けられている。
【００３２】
また、正極側端子１０に流れる電流量と、第１負極側端子１１ａと第２負極側端子１１ｂと第３負極側端子１１ｃとに流れる電流量とは略等しい。また、第１負極側端子１１ａに流れる電流量と、第２負極側端子１１ｂに流れる電流量と、第３負極側端子１１ｃに流れる電流量とは略等しい。したがって、正極配線６ａ、正極配線６ｂ、および、負極配線５ｂの各々に流れる電流量は、負極配線５ａおよび負極配線５ｃの各々に流れる電流量の略２倍である。
【００３３】
また、第１コンデンサグループ１３ａの第１コンデンサ１ａのＹ１方向側には、第２コンデンサグループ１３ｂの第１コンデンサ１ａが設けられている。また、第１コンデンサグループ１３ａの第２コンデンサ１ｂのＹ１方向側には、第２コンデンサグループ１３ｂの第２コンデンサ１ｂが設けられている。
【００３４】
また、第１コンデンサグループ１３ａのコンデンサ１の第１負極側端子１１ａと正極側端子１０と、対応する第２コンデンサグループ１３ｂのコンデンサ１の第１負極側端子１１ａと正極側端子１０とは、Ｙ方向に略一直線状になるように配置されている。また、第１コンデンサグループ１３ａのコンデンサ１の第２負極側端子１１ｂと、対応する第２コンデンサグループ１３ｂのコンデンサ１の第２負極側端子１１ｂとは、Ｙ方向に略一直線状になるように配置されている。また、第１コンデンサグループ１３ａのコンデンサ１の第３負極側端子１１ｃと、対応する第２コンデンサグループ１３ｂのコンデンサ１の第３負極側端子１１ｃとは、Ｙ方向に略一直線状になるように配置されている。また、第１コンデンサグループ１３ａの各コンデンサ１の正極側端子１０は、Ｘ方向に略一直線状になるように配置されている。また、第２コンデンサグループ１３ｂの各コンデンサ１の正極側端子１０は、Ｘ方向に略一直線状になるように配置されている。なお、対応する第２コンデンサグループ１３ｂのコンデンサ１とは、第１コンデンサグループ１３ａのうちの左からｎ（ｎ＝１、２、３、４）番目のコンデンサ１に対して、第２コンデンサグループ１３ｂのうちの左からｎ番目のコンデンサ１である。
【００３５】
また、第１実施形態では、第１コンデンサ１ａの数と、第２コンデンサ１ｂの数とは等しい。具体的には、電力変換装置１００は、４つの第１コンデンサ１ａと４つの第２コンデンサ１ｂが設けられている。また、第１コンデンサグループ１３ａおよび第２コンデンサグループ１３ｂの各々には、２つの第１コンデンサ１ａと２つの第２コンデンサ１ｂとが設けられている。
【００３６】
図５に示すように、半導体素子３０のドレイン電極Ｄ、ソース電極Ｓ、および、ゲート電極Ｇの各々は、半導体素子３０の表面３０ａ上に配置されている。また、半導体素子３０は、表面３０ａが基板２（図１参照）に対向するように配置されている。すなわち、表面３０ａがＺ２方向側を向くように、半導体素子３０が配置されている。なお、正極配線部６および負極配線部５は、コンデンサ１と基板２との間、および、半導体素子３０と基板２との間に配線されている。これにより、コンデンサ１の端子と半導体素子３０の電極とが電気的に接続される。
【００３７】
（第１実施形態の効果）
第１実施形態では、以下のような効果を得ることができる。
【００３８】
第１実施形態では、上記のように、負極配線５ａと負極配線５ｂと負極配線５ｃとを有する負極配線部５と、負極配線５ａと負極配線５ｂとの間に設けられる正極配線６ａと、負極配線５ｂと負極配線５ｃとの間に設けられる正極配線６ｂと、正極配線部６上に配置される正極側端子１０と、正極側端子１０を取り囲むとともに負極配線部５上に配置される、第１負極側端子１１ａと第２負極側端子１１ｂと第３負極側端子１１ｃとが、底面部１２に設けられる複数のコンデンサ１と、を備えるように、電力変換装置１００を構成する。また、複数のコンデンサ１が、互いに隣接する第１コンデンサ１ａと第２コンデンサ１ｂとを含み、第１コンデンサグループ１３ａにおいて、第１コンデンサ１ａの第１負極側端子１１ａが、負極配線５ａ上に設けられるとともに、第１コンデンサ１ａの第２負極側端子１１ｂおよび第３負極側端子１１ｃが、負極配線５ｂ上に設けられ、第２コンデンサ１ｂの第１負極側端子１１ａが、負極配線５ｂ上に設けられるとともに、第２コンデンサ１ｂの第２負極側端子１１ｂおよび第３負極側端子１１ｃが、負極配線５ａ上に設けられるように、電力変換装置１００を構成する。また、第２コンデンサグループ１３ｂにおいて、第１コンデンサ１ａの第１負極側端子１１ａが、負極配線５ｂ上に設けられるとともに、第１コンデンサ１ａの第２負極側端子１１ｂおよび第３負極側端子１１ｃが、負極配線５ｃ上に設けられ、第２コンデンサ１ｂの第１負極側端子１１ａが、負極配線５ｃ上に設けられるとともに、第２コンデンサ１ｂの第２負極側端子１１ｂおよび第３負極側端子１１ｃが、負極配線５ｂ上に設けられるように、電力変換装置１００を構成する。
【００３９】
これにより、互いに隣接する第１コンデンサ１ａと第２コンデンサ１ｂとにおいて、負極配線５ａに接続される負極側の端子数と、負極配線５ｂに接続される負極側の端子数とが等しくなるとともに、負極配線５ｂに接続される負極側の端子数と、負極配線５ｃに接続される負極側の端子数とが等しくなる。その結果、互いに隣接する第１コンデンサ１ａと第２コンデンサ１ｂとにおいて、負極配線５ａに流れる電流量と、負極配線５ｂに流れる電流量とが等しくなるとともに、負極配線５ｂに流れる電流量と、負極配線５ｃに流れる電流量とが等しくなる。また、正極配線部６に流れる電流量と、負極配線部５に流れる電流量とは等しい。これらにより、負極配線５ａと正極配線６ａ（正極配線６ａを仮想的に半分に分解したもの）との間において磁界がキャンセルされるとともに、負極配線５ｂ（負極配線５ｂを仮想的に半分に分解したもの）と正極配線６ａ（正極配線６ａを仮想的に半分に分解したもの）との間において磁界がキャンセルされる。また、負極配線５ｂ（負極配線５ｂを仮想的に半分に分解したもの）と正極配線６ｂ（正極配線６ｂを仮想的に半分に分解したもの）との間において磁界がキャンセルされるとともに、負極配線５ｃと正極配線６ｂ（正極配線６ｂを仮想的に半分に分解したもの）との間において磁界がキャンセルされる。これらの結果、３つの負極側の端子を有する複数のコンデンサ１に接続される配線の高インダクタンス化を抑制することができる。
【００４０】
また、第１実施形態では、上記のように、第１コンデンサ１ａの数と、第２コンデンサ１ｂの数とが等しくなるように、電力変換装置１００を構成する。これにより、第１コンデンサグループ１３ａにおいて、負極配線５ａに接続される負極側の端子数と、負極配線５ｂに接続される負極側の端子数とを等しくすることができる。また、第２コンデンサグループ１３ｂにおいて、負極配線５ｂに接続される負極側の端子数と、負極配線５ｃに接続される負極側の端子数とを等しくすることができる。その結果、電力変換装置１００全体において、磁界をキャンセルすることができる。
【００４１】
また、第１実施形態では、上記のように、第１コンデンサ１ａと第２コンデンサ１ｂとがＸ方向に沿って互いに隣接して配列されるコンデンサグループ１３が、Ｙ方向に沿って複数（２つ）配列されるように、電力変換装置１００を構成する。これにより、コンデンサグループ１３を複数配列させることによって、電力変換装置１００の容量を容易に増加させることができる。
【００４２】
［第２実施形態］
次に、図６を参照して、第２実施形態による電力変換装置２００の構成について説明する。この第２実施形態における電力変換装置２００は、第１実施形態の構成と異なり、負極側の端子が一直線状に配列されるように構成されている。なお、図中において上記第１実施形態と同様の構成の部分には、同一の符号を付している。
【００４３】
（電力変換装置の構造）
第２実施形態では、図６に示すように、負極配線５ａ上に設けられている、第１負極側端子１１ａと第２負極側端子１１ｂと第３負極側端子１１ｃとは、略一直線状になるように配列されている。また、負極配線５ｂ上に設けられている、第１負極側端子１１ａと第２負極側端子１１ｂと第３負極側端子１１ｃとは、略一直線状になるように配列されている。また、負極配線５ｃ上に設けられている、第１負極側端子１１ａと第２負極側端子１１ｂと第３負極側端子１１ｃとは、略一直線状になるように配列されている。
【００４４】
具体的には、各コンデンサグループ１３において、第１コンデンサ１ａの第１負極側端子１１ａと、第２コンデンサ１ｂの第２負極側端子１１ｂおよび第３負極側端子１１ｃとは、Ｙ方向における位置が略等しい。また、各コンデンサグループ１３において、第１コンデンサ１ａの第２負極側端子１１ｂおよび第３負極側端子１１ｃと、第２コンデンサ１ｂの第１負極側端子１１ａとは、Ｙ方向における位置が略等しい。また、各コンデンサグループ１３において、第１コンデンサ１ａの正極側端子１０と、第２コンデンサ１ｂの正極側端子１０とは、Ｙ方向おいて距離Ｄ１（ｒ／２）だけ離れている。
【００４５】
第２実施形態のその他の構成は、上記第１実施形態と同様である。
【００４６】
（第２実施形態の効果）
第２実施形態では、以下のような効果を得ることができる。
【００４７】
第２実施形態では、上記のように、負極配線５ａ上に設けられている、第１負極側端子１１ａと第２負極側端子１１ｂと第３負極側端子１１ｃ、負極配線５ｂ上に設けられている、第１負極側端子１１ａと第２負極側端子１１ｂと第３負極側端子１１ｃ、および、負極配線５ｃ上に設けられている、第１負極側端子１１ａと第２負極側端子１１ｂと第３負極側端子１１ｃとが、略一直線状に配列されるように、電力変換装置２００を構成する。これにより、負極配線５ａの負極側の端子と負極配線５ｂの負極側の端子との間の距離を小さくすることができるとともに、負極配線５ｂの負極側の端子と負極配線５ｃの負極側の端子との間の距離を略一定にすることができる。つまり、正極側の端子に対して、比較的遠くに配置される負極側の端子がなくなる。その結果、負極側の端子に接続される配線の表面積を小さくすることができるので、その分、配線の総表面積を小さくすることができる。
【００４８】
なお、第２実施形態のその他の効果は、上記第１実施形態と同様である。
【００４９】
［第３実施形態］
次に、図７を参照して、第３実施形態による電力変換装置３００の構成について説明する。この第３実施形態における電力変換装置３００は、コンデンサ１がマトリクス状に配置されている第１実施形態の構成と異なり、コンデンサ１が千鳥配列されるように構成されている。なお、図中において上記第１実施形態と同様の構成の部分には、同一の符号を付している。
【００５０】
（電力変換装置の構造）
第３実施形態では、図７に示すように、Ｘ方向において、第１コンデンサグループ１３ａのコンデンサ１の両端部と、第２コンデンサグループ１３ｂのコンデンサ１の両端部とがずれるように、第１コンデンサグループ１３ａと第２コンデンサグループ１３ｂとは千鳥配列されている。
【００５１】
具体的には、各コンデンサグループ１３において、隣接するコンデンサ１同士が距離Ｄ２だけ離れているとする。この場合、第２コンデンサグループ１３ｂの各コンデンサ１は、第１コンデンサグループ１３ａの対応するコンデンサ１に対して、Ｘ２方向側に距離Ｄ３（ｒ＋Ｄ２／２）だけすれている。すなわち、第２コンデンサグループ１３ｂのＸ１方向側から１番目のコンデンサ１は、第１コンデンサグループ１３ａのＸ１方向側から１番目のコンデンサ１に対して、Ｘ２方向側に距離Ｄ３（ｒ＋Ｄ２／２）だけすれている。なお、Ｘ１方向側から２番目、３番目、および、４番目のコンデンサ１についても、１番目のコンデンサ１の上記位置関係と同様に配置されている。これにより、８つのコンデンサ１が配置される領域は、平行四辺形形状を有している。
【００５２】
また、Ｙ方向において、第１コンデンサグループ１３ａのコンデンサ１のＹ１方向側の端部１ｃと、第２コンデンサグループ１３ｂのコンデンサ１のＹ２方向側の端部１ｄとは、距離Ｄ４だけオーバーラップしている。なお、距離Ｄ４は、ｒ／２よりも小さい。
【００５３】
第３実施形態のその他の構成は、上記第１実施形態と同様である。
【００５４】
（第３実施形態の効果）
第３実施形態では、以下のような効果を得ることができる。
【００５５】
第３実施形態では、上記のように、Ｘ方向において、第１コンデンサグループ１３ａのコンデンサ１の両端部と、第２コンデンサグループ１３ｂのコンデンサ１の両端部とがずれるように、第１コンデンサグループ１３ａと第２コンデンサグループ１３ｂとが千鳥配列されるように、電力変換装置３００を構成する。これにより、第１コンデンサグループ１３ａと第２コンデンサグループ１３ｂとがマトリクス状に配置されている場合に比べて、Ｙ方向において、コンデンサ１を密に配置するができる。これにより、第１コンデンサグループ１３ａと第２コンデンサグループ１３ｂとが配置される領域の、Ｙ方向の幅を小さくすることができる。
【００５６】
なお、第３実施形態のその他の効果は、上記第１実施形態と同様である。
【００５７】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５８】
たとえば、上記第１〜第３実施形態では、Ｘ方向に沿ってコンデンサ１が４つ隣接して配列されているコンデンサグループ１３が、Ｙ方向に沿って２つ隣接している構成の例を示したが、本発明はこれに限られない。たとえば、図８に示すように、Ｘ方向に沿ってコンデンサ１が２つ隣接して配列されているコンデンサグループが、Ｙ方向に沿って４つ隣接している構成であってもよい。
【００５９】
また、上記第１〜第３実施形態では、第１コンデンサグループ１３ａおよび第２コンデンサグループ１３ｂの各々が、コンデンサ１を４つずつ含む構成の例を示したが、本発明はこれに限られない。たとえば、第１コンデンサグループ１３ａおよび第２コンデンサグループ１３ｂの各々が、コンデンサ１を６つずつ含む構成であってもよい。
【００６０】
また、上記第１〜第３実施形態では、コンデンサ１が円筒形状を有する例を示したが、本発明はこれに限られない。たとえば、コンデンサ１が四角柱形状を有していてもよい。
【００６１】
また、上記第１〜第３実施形態では、基板２が矩形形状を有する例を示したが、本発明はこれに限られない。たとえば、基板２が円形形状を有していてもよい。
【００６２】
また、上記第１〜第３実施形態では、電力変換装置１００（２００、３００）に直流電源４が設けられている構成の例を示したが、本発明はこれに限られない。たとえば、電力変換装置１００（２００、３００）に交流電源が設けられていてもよい。この場合、電力変換装置１００（２００、３００）には、交流電源からの交流電流を直流電流にするための整流回路が設けられる。
【００６３】
また、上記第３実施形態では、第１コンデンサ１ａの正極側端子１０と、第２コンデンサ１ｂの正極側端子１０とが、略一直線状になるように配列されている構成の例を示したが、本発明はこれに限られない。たとえば、負極配線５ａ、負極配線５ｂ、および、負極配線５ｃの各々の、第１負極側端子１１ａと第２負極側端子１１ｂと第３負極側端子１１ｃとが略一直線状になるように配列されていてもよい。
【００６４】
また、上記第１〜第３実施形態では、電力変換装置１００（２００、３００）にコンデンサグループ１３が２つ設けられている構成の例を示したが、本発明はこれに限られない。たとえば、電力変換装置１００（２００、３００）に３つ以上のコンデンサグループ１３が設けられていてもよい。
【００６５】
また、上記第１〜第３実施形態では、第１コンデンサ１ａと第２コンデンサ１ｂとが、交互に配置されている構成の例を示したが、本発明はこれに限られない。たとえば、２つの隣接した第１コンデンサ１ａと、２つの隣接した第２コンデンサ１ｂとが、交互に配置されている構成であってもよい。
【００６６】
また、上記第１〜第３実施形態では、第１コンデンサグループ１３ａおよび第２コンデンサグループ１３の各々において、Ｘ１方向側から第１コンデンサ１ａ、第２コンデンサ１ｂ、第１コンデンサ１ａ、第２コンデンサ１ｂの順に配置されている構成の例を示したが、本発明はこれに限られない。たとえば、第２コンデンサグループ１３において、第２コンデンサ１ｂ、第１コンデンサ１ａ、第２コンデンサ１ｂ、第１コンデンサ１ａの順に配置されている構成であってもよい。
【００６７】
また、上記第３実施形態では、平面視において、コンデンサ１が配置される領域が平行四辺形形状になる構成の例を示したが、本発明はこれに限られない。たとえば、コンデンサ１が配置される領域が台形形状になる構成であってもよい。
【符号の説明】
【００６８】
１  コンデンサ
１ａ  第１コンデンサ
１ｂ  第２コンデンサ
５  負極配線部
５ａ  負極配線（第１負極配線）
５ｂ  負極配線（第１負極配線）（第２負極配線）
５ｃ  負極配線（第２負極配線）
６  正極配線部
１０  正極側端子
１１ａ  第１負極側端子
１１ｂ  第１負極側端子
１１ｃ  第１負極側端子
１２  底面部
１３  コンデンサグループ
１３ａ  第１コンデンサグループ
１３ｂ  第２コンデンサグループ
１００、２００、３００  電力変換装置
Ｘ  方向（所定の方向）
Ｙ  方向（所定の方向と略直交する方向）
【図１】
2018023200.tif 000003
【図２】
2018023200.tif 000004
【図３】
2018023200.tif 000005
【図４】
2018023200.tif 000006
【図５】
2018023200.tif 000007
【図６】
2018023200.tif 000008
【図７】
2018023200.tif 000009
【図８】
2018023200.tif 000010